(57)【要約】      （修正有）【課題】男性器に対する圧迫がなく，かつ，小用時において前面を開放し易い下穿き用男性下着の前面構造を提供する。【解決手段】前身頃１０に股布逢着辺１２から胴口形成辺１１に向かって高さ方向の中央付近に至る切欠１５を形成し，切欠１５による分割端部１２１，１２２間を突き合わせた状態で股布逢着辺１２（１２ａ，１２ｂ）を股布４０及び前布２０の下端辺２２（２２ａ，２２ｂ）に逢着する。そして，前布２０の上端辺２１（２１ａ，２１ｂ）又は上端辺寄りの位置を，前身頃１０の胴口形成辺１１若しくはその近傍に逢着して，前布で前身頃の切欠形成部分を覆う。この前布２０は，２枚の布片２０ａ，２０ｂを逢着して，男性器を収容可能な袋状に形成する。【選択図】図５
0003137929.tif 000002
【実用新案登録請求の範囲】
【請求項１】
下腹部側を覆う前身頃と，臀部側を覆う後身頃を備え，腰下に着用する下穿き用男性下着において，
前記前身頃に，前記後身頃と連通する股布と股下位置において逢着される股布逢着辺から，胴口と成る胴口形成辺に向かって所定長さで矩形状の切欠を形成し，
前記切欠による前記股布逢着辺の分割端を相互に突き合わせた状態で前記股布に前記前身頃の前記股布逢着辺を逢着して，前記前身頃の中央部を前面に膨出させると共に，前記切欠の開口端を閉じて略逆三角形状の開口を前記前身頃に形成し，
幅方向に膨出する湾曲形状を成す一辺を有する同一形状の２枚の布片の前記湾曲形状の一辺を相互に逢着して，前記布片間に男性器を収容可能な袋状の空間が形成された前布を形成し，前記前布に形成された前記袋状の空間が前記前身頃の開口前面を覆うように，前記逢着された一辺の一端側における前記前布の端部を前記前身頃の前記胴口形成辺若しくはその近傍に逢着すると共に，前記逢着された一辺の他端側における前記前布の端部を前記股布に逢着し，残余の部分を前記前身頃に対して未逢着としたことを特徴とする下穿き用男性下着の前面構造。
【請求項２】
前記前身頃の前記股布逢着辺を，前記分割端より両端側に向かって上方に傾斜したテーパ状の裁断形状としたことを特徴とする請求項１記載の下穿き用男性下着の前面構造。
【考案の詳細な説明】
【技術分野】
【０００１】
本考案は，腰下に着用する下穿き用の男性下着の前面構造に関し，より詳細には小用時に前面を開放することができ，かつ，股間を覆う部分が立体的に形成されたブリーフ，股引，タイツ等の下穿き用男性下着の前面構造に関する。
【背景技術】
【０００２】
腰下に着用する，所謂「下穿き」用の男性下着であるブリーフ，股引，タイツ等にあっては，これらを着用した状態にあっても小用を足すことができるように，その前面を開放可能とした構造を備えるものが提案されている。
【０００３】
このような下穿き用男性下着の一例として，ブリーフにおいて一般的に採用されている前面開放構造は，図６（Ａ）（Ｂ）に示すように，ブリーフ１の前面部分において２枚の布を前後に重ね合わせた構造とし，重ね合わせ部分の幅方向における一方の端部（通常は着用者の右側）に，ブリーフ１外より前記２枚の布間に手を挿入し得る外側開口２８を形成すると共に，他方の端部（通常は着用者の左側）に，前記２枚の布間からブリーフ１内に連通する内側開口１８を形成し，外側開口２８より２枚の布間に挿入した手で，内側開口１８の縁部１８ａを掴むと共に，他方の手で外側開口２８の縁部２８ａを掴み，両開口１８，２８の縁部１８ａ，２８ａを相互に逆方向に引き寄せることにより，ブリーフ１の前面が開放するように構成されている〔図６（Ａ），図６（Ｂ）参照〕。
【０００４】
このようなブリーフ１は，一般的には身体形状に対応した立体的な裁断や縫製がされておらず，その結果，このようなブリーフを着用すると男性器が圧迫されて履き心地が悪いことに鑑み，身体形状を考慮した立体形状に縫製されたブリーフ１も提案されている。
【０００５】
このようなブリーフ１の一例として，図７及び図８に示すように，前身頃１０，後身頃３０，前布２０，及び当布４０’を縫い合わせて形成されたブリーフ１において，前記前布２０を，２枚１組で八の字状の対称形状を成す布片２０ａ，２０ｂを逢着して前方に向かって膨出する立体形状に形成し，この立体形状に形成された部分に男性器を収容することで，布地の締め付けによる圧迫感を解消したブリーフも提案されている（例えば，実開昭５５−１６４３０２号公報の第２〜７図参照）。
【特許文献１】実開昭５５−１６４３０２号公報
【考案の開示】
【考案が解決しようとする課題】
【０００６】
以上のように構成された男性用ブリーフ１において，前布２０を外側に膨出する立体形状に縫製したことで，男性器に対する圧迫が軽減される結果，穿き心地の向上が得られるものとなっている。
【０００７】
また健康上，睾丸は体温に対して若干低い温度に維持することが好ましいとされるが，股間を包む部分が立体的に形成されたブリーフ１では，布地による圧迫，押圧がないために陰嚢の伸縮による温度調整機能を良好に発揮させることができるものとなっている。
【０００８】
しかし，前記従来のブリーフにおいては，図７（Ｂ）及び図８からも明らかなように（なお，図８における矢印は，相互に逢着される箇所を示す。），前身頃１０の下端辺１９と，当布４０’間を逢着せずに両者間に間隔を設け，この部分を立体形状に形成した前述の前布２０で覆う構成としているために，図７（Ｂ）に示すように，前布２０はその高さ方向の比較的広い範囲で立体的に形成されているものの，前身頃１０の下端辺１９よりも上方に位置する部分には立体形状を備えない前身頃１０が存在するために，立体的に男性器を収容し得る部分は極めて僅かな範囲であり，前身頃１０との重なり部分では，依然として圧迫感は解消されないものとなっている。
【０００９】
また，前記構成のブリーフ１では，前身頃１０の下端辺１９によって前身頃１０と前布２０間に連通する内側開口１８が形成されていると共に〔図７（Ｂ）参照〕，前布２０の側辺の一方（紙面向かって左側）を前身頃１０に逢着せずに該部分を介して前記前身頃１０と前布２０間の通じる外側開口２８を設けた構成としているために，ブリーフ１の前面を開放しようとすれば，図７（Ａ）に矢印で示すように外側開口２８の縁部２８ａを成す前布の未逢着部分を斜め下方へ押し下げつつ，前身頃１０の下端辺１９を下着内で上方に引き上げる必要があり，開放作業が難しく，しかもブリーフ１の前面を開放可能とするためには使用する素材に大きな伸縮性が必要であり，材質選択の自由度が狭まる。
【００１０】
また，前述のように前布２０の未逢着辺を斜め下方に押し下げる作業により，ブリーフ１の胴口部分がずり下がり，下腹部が露出する等して着用者に履き心地の悪さを感じさせる原因となる。
【００１１】
しかも，前述のようにして前布２０と前身頃１０を伸長させてブリーフ１の前面を開放することから，前布２０及び前身頃１０が元の形状に復元しようとする力によって，前布２０の未逢着部分２９と，前身頃１０の下端辺１９とが相互に図中に示した矢印方向とは反対方向に付勢されるために，ブリーフ１の前面を開放している手を離したり，力を抜くと，前布２０の未逢着部分２９と前身頃１０の下端辺１９間に陰茎が挟まれて，尿道が圧迫される等して用が足し難く，また，排尿後の残尿感や，尿漏れの原因となる。
【００１２】
なお，このような下穿きに供される男性下着の前面を比較的緩やかに開放する構成としては，例えば，前身頃１０の中央部分に開口を形成しておき，この開口上を前布にて緩やかに覆う構成とすることも考えられる。
【００１３】
しかし，このように構成する場合には，男性器が収容される部分は，前布２０と前身頃１０の双方によって二重に覆われることとなるために，例えば前布２０のみを立体形状としても着用時の圧迫感を解消することができない。
【００１４】
しかも，前身頃１０の前面を緩やかに覆う前布２０は，容易にずれ易く，歩行時等にブリーフ１の前面が予期せず開放して陰茎が露出するおそれがある等，心許ない。
【００１５】
このような問題を解消するために，前身頃１０についても前布２０と同様の立体形状に形成することも考えられるが，このような構成とする場合，前身頃１０を曲線形状を備えた複数のパーツに分解し，これらを立体的に縫い合わせて前身頃１０を製造等する必要があり，パーツ数の増加と加工工程数の増加により製造コストが上昇し，これが商品の価格に反映されることとなる。
【００１６】
なお，以上の説明においては，下穿き用の男性下着の一例としてブリーフを例に挙げて説明したが，このような問題は，ブリーフのみならず，股引やタイツ，その他の下穿き用の男性下着においても同様に生じる問題である。
【００１７】
そこで本考案は，上記従来技術における欠点を解消するためになされたものであり，男性器を覆う部分を，男性器の収容に適した立体形状とした構造でありながら，小用時等において前面を容易に開放し得る下穿き用男性下着の前面構造を提供することを目的とする。
【課題を解決するための手段】
【００１８】
上記目的を達成するために，本発考案の下穿き用男性下着の前面構造は，下腹部側を覆う前身頃１０と，臀部側を覆う後身頃３０を備え，腰下に着用するブリーフ１，股引，タイツ等の下穿き用男性下着において，
前記前身頃１０に，前記後身頃３０と連通する股布４０と股下位置において逢着される股布逢着辺１２から，胴口と成る胴口形成辺１１に向かって所定長さ（図示の例では前記両辺１１，１２間の間隔の略中間点に至る長さ）で矩形状の切欠１５を形成し〔図１（Ａ）参照〕，
前記切欠１５による前記股布逢着辺１２（１２ａ，１２ｂ）の中央方向の分割端１２１，１２２を相互に突き合わせた状態〔図１（Ｂ）参照〕で前記股布４０に前記前身頃１０の前記股布逢着辺１２（１２ａ，１２ｂ）を逢着して，前記前身頃１０の中央側を前面に膨出させると共に，前記切欠１５の開口端を閉じて略逆三角形状の開口１５’を前記前身頃１０に形成し，
幅方向に膨出する湾曲形状を成す一辺２４ａ，２４ｂを有する同一形状の２枚の布片２０ａ，２０ｂの前記湾曲形状の一辺２４ａ，２４ｂを相互に逢着して，前記布片２０ａ，２０ｂ間に男性器を収容可能な袋状の空間が形成された前布２０を形成し，前記前布２０に形成された前記袋状の空間が前記前身頃１０の開口１５’前面を覆うように，前記逢着された一辺２４（２４ａ，２４ｂ）の一端側における前記前布２０の端部〔図示の例では上端辺２１（２１ａ，２１ｂ）側〕を前記前身頃１０の前記胴口形成辺１１若しくはその近傍に逢着すると共に，前記逢着された一辺２４（２４ａ，２４ｂ）の他端側における前記前布２０の端部〔図示の例では下端辺２２（２２ａ，２２ｂ）側〕を前記股布４０に逢着し，残余の部分を前記前身頃１０に対して未逢着（未逢着部分２９）としたことを特徴とする（請求項１）。
【００１９】
前記構成の男性下着の前面構造において，前記前身頃１０の前記股布逢着辺１２（１２ａ，１２ｂ）は，前記分割端１２１，１２２より両端側に向かって上方に傾斜したテーパ状の裁断形状とすることができる（請求項２）。
【考案の効果】
【００２０】
以上で説明した本考案の構成により，本考案の前面構造を備えた下穿き用男性下着１にあっては，以下の顕著な効果を得ることができた。
【００２１】
前布２０を，２枚の布片２０ａ，２０ｂを逢着して袋状に形成すると共に，前身頃１０に対する所定の切欠１５の形成と，前記切欠１５による股布逢着辺１２（１２ａ，１２ｂ）の分割端部１２１，１２２間を逢着時に突き合わせるという比較的簡単な構成により，前身頃１０の中央部分を前方に膨出する立体形状とすることができた。
【００２２】
その結果，前面を開放するために前布２０と前身頃１０との重なり部分を有する構造でありながら，前身頃１０が前布２０の立体形状に追従して変形するために着用時において男性器に対する圧迫がなく穿き心地が良好で，しかも睾丸を圧迫しないために陰嚢の伸縮による温度調整が良好に行われて睾丸を体温に対して若干低い温度に維持することができ，健康にも良い男性下着を提供することができた。
【００２３】
また，前身頃１０の中央部が前面に膨出した形状を備えていることから，この膨出部分が前布２０内の空間に嵌合されることで，前布２０のみが単独で左右にずれ難くなっており，その結果，このような前布２０のずれにより開口１５’が予期せず開いてしまうことがない。
【００２４】
その一方，前身頃１０の切欠１５と，前布２０の未逢着部分２９間の距離を従来技術のものと比較して短くとることができ，これにより，前布２０及び前身頃１０に大きな変形を加えることなく下着１の前面を開放することが可能である。
【００２５】
しかも，前述したように前身頃１０を前方に膨出した立体形状としたことにより，切欠１５の縁部において布地にゆとりが生じ，その結果，前身頃１０の切欠１５を左右に容易に押し広げることも容易であり，小用時に陰茎が圧迫される等の問題も解消された。
【００２６】
前布２０の端部のみを逢着し，他の部分を前身頃１０に逢着しない未逢着部２９とした構成としたことから，下着１の前面を，前布の右側もしくは左側のいずれ側においても開放することができ，本発明の前面構造を備えた下着の着用者が右利き，左利きのいずれの場合であっても，前面開放のし易い下着とすることができた。
【００２７】
さらに，前身頃１０の前記股布逢着辺１２（１２ａ，１２ｂ）を，所定の傾斜した状態に裁断することにより，２本の股布逢着辺１２ａ，１２ｂが直線上に並ぶよう逢着することで，前身頃１０の布地に捩れを生じさせてより顕著な立体形状を表出させることができ，かつ，逢着時のシルエットを美しいものとすることができた。
【考案を実施するための最良の形態】
【００２８】
次に本考案の実施例を，添付図面を参照しながら以下に説明する。
【００２９】
本考案の男性下着の前面構造を，ブリーフ１において採用した例を図１〜５を参照して説明する。
【００３０】
本考案の前面構造を備えたブリーフ１は，着用者の下腹部側（前面）を覆う前身頃１０，臀部側（後面）を覆う後身頃３０，及び前記前身頃１０の中央部分の前面を覆う，外方に向かって膨出した立体形状を有する前布２０によって形成されている（図５参照）。
【００３１】
〔前身頃〕
前述の前身頃１０は，ブリーフ１の前面側を構成するもので，縫製された際に着用者の胴部が挿入される胴口となる胴口形成辺１１と，腿部が挿入される開口を形成する腿部辺１３，及び前記胴口形成辺１１の端部と，腿部辺１３の端部間を連通し，後述する後身頃３０と逢着される側部逢着辺１４，及び，後述する股布４０と逢着される股布逢着辺１２（１２ａ，１２ｂ）の各辺を備えている。
【００３２】
この前身頃１０の，他部材に対する逢着前の形状は，図１（Ａ）に示すように前述の股布逢着辺１２（１２ａ，１２ｂ）をその中央部分において左右に二分割すると共に，胴口形成辺１１側に向かって，両辺１１，１２間の間隔の略中央位置に至る切欠１５が形成された形状としている。
【００３３】
この股布逢着辺１２（１２ａ，１２ｂ）は，縫製前の状態においては図１（Ａ）に示すように切欠部１５によって左右に分割された状態であると共に，好ましくは中央の分断部分からそれぞれの辺１２ａ，１２ｂが他端を上方に向けて傾斜したテーパ形状に形成する。
【００３４】
この股布逢着辺１２（１２ａ，１２ｂ）の傾斜角θを，形成する切欠１５の幅に応じて適当な角度とすることで，縫製時に図１（Ｂ）に示すように２つの股布逢着辺１２ａ，１２ｂの分割端部１２１，１２２を突き合わせた状態で股布４０に逢着する際，２本の股布逢着辺１２ａ，１２ｂを一直線上に配置して逢着することで，前身頃１０の生地に捩れが生じてより際立った立体形状を表出させることができると共に，仕上がりのシルエットを美しいものとすることができる。
【００３５】
このようにして，分割端部１２１，１２２を突き合わせた状態で逢着することで，前身頃１０は，中心線Ｃに沿った部分が前方に向かって膨出した立体形状となると共に，前述した切欠１５の開口端部が閉じられて，前身頃の中心部分における略下半分の部分には，図１（Ｂ）に示すような逆三角形の開口１５’が形成される。
【００３６】
なお図２は，図１を参照して説明した実施形態に比較して前身頃１０に形成した切欠１５の幅を狭く形成した例であり，このように切欠１５の幅を狭く形成した前身頃１０にあっては，股布逢着辺１２（１２ａ，１２ｂ）の傾斜角θを図１（Ａ）を参照して説明したものに比べて小さく形成しても良く，また，股布逢着辺１２（１２ａ，１２ｂ）はこれを傾斜させなくても良い。
【００３７】
〔前布〕
前述のように構成された前身頃１０には，その中心部を覆うように前布２０が取り付けられ（図５参照），この前布２０により前記前身頃１０に形成された逆三角形の開口１５’を覆うと共に，この前布２０を左右いずれかの方向にずらし，及び／又は前記開口１５’の左右いずれかの縁部を横方向に引き出すことで，小用時等に際してブリーフ１の前面を開放して陰茎を露出させることができるように構成されている。
【００３８】
この前布２０は，図３(Ａ），（Ｂ）に示すように二枚の布片２０ａ，２０ｂを逢着して袋状に形成したもので，この前布２０を構成する各布片２０ａ，２０ｂは，一例としてそれぞれが図３（Ａ）に示すように下端辺２２（２２ａ，２２ｂ）に対して若干長い上端辺２１（２１ａ，２１ｂ）を備えると共に，前記上端辺２１（２１ａ，２１ｂ）及び下端辺２２（２２ａ，２２ｂ）の一端間を直線状に結ぶ側辺２３ａ，２３ｂと，上端辺２１（２１ａ，２１ｂ）及び下端辺２２（２２ａ，２２ｂ）の他端間を結ぶ，幅方向に膨出する湾曲形状の側辺２４ａ，２４ｂとを有する形状に形成されている。
【００３９】
前述の湾曲形状の側辺２４ａ，２４ｂが描く湾曲形状は，前布２０によって前身頃１０の前面を覆った際に，切欠１５によって形成された逆三角形の開口１５’を覆う位置に最も大きな収容空間が形成され得る形状となっており，図示の実施形態にあっては各布片２０ａ，２０ｂの上端辺２１（２１ａ，２１ｂ）側より下端辺２２（２２ａ，２２ｂ）に向かうに従い徐々に布片２０ａ，２０ｂの幅を拡げるように傾斜し，その後，各布片２０ａ，２０ｂの高さの約１／３の位置を最大幅とし，更に下方に向かうに従い布片２０ａ，２０ｂの幅を狭めるように下端辺２２（２２ａ，２２ｂ）の他端と連通する湾曲形状とした。
【００４０】
以上のように構成された２枚の布片２０ａ，２０ｂは，湾曲形状に形成された側辺２４ａ，２４ｂ同士を逢着すると共に，直線状の側辺２３ａ，２３ｂを離間するようにこれを展開することで，図３（Ｂ）に示すように，正面視において全体として上端辺２１から下端辺２２に向かって徐々に幅を狭めるテーパ状となる。
【００４１】
〔後身頃〕
なお図４（Ａ）（Ｂ）は，後身頃であり，図示の実施形態にあっては縫製後に胴口と成る胴口形成辺３１と，腿部開口となる腿部辺３３を有すると共に，前記前身頃１０の側部逢着辺１４と逢着される側部逢着辺３４，及び，前身頃１０の前記股布逢着辺１２（１２ａ，１２ｂ）と逢着される下部逢着辺３２を備えた形状に形成されている。
【００４２】
なお，図４（Ａ）に示す後身頃３０では，前記後身頃３０を一枚の布片によって形成すると共に，この後身頃３０に，着用時，着用者の股下部分に配置される股布４０を一体的に形成した例を示したが，例えばこのうちの股布４０を，図４（Ｂ）に示すように後身頃３０とは別の布片によって形成し，これを後身頃に逢着するように構成しても良い。
【００４３】
また，後身頃３０は，例えばこれを縦方向に複数枚に分割した布片を立体的に縫い合わせる等して，臀部形状に対応して丸みを持たせた形状に構成する等しても良く，本発明の特徴を備える前記前身頃１０及び前布２０と組合せ可能なものであれば，その構成は特に限定されない。
【００４４】
〔各構成部品の縫合〕
以上のように構成された前身頃１０，後身頃３０及び前布２０は，図５に示すようにこれらを相互に縫い合わせることにより一枚のブリーフが形成される。
【００４５】
逢着に際し，２枚の布片２０ａ，２０ｂを逢着して予め前布２０を形成しておき，前記前身頃１０の中央部分に形成された開口１５’を，この前布２０で覆うように前身頃１０と前布２０とを重ね合わせた状態で，後身頃３０に設けた股布４０に，前記前布２０の下端辺２２及び前身頃１０の股布逢着辺１２を共に逢着し，また，前記前布２０の上端辺２１を前身頃１０の胴口形成辺１１に逢着し，及び／又は前記前布２０の側辺２３ａ，２３ｂのうち，上端辺２１寄りの部分を前身頃１０の前面に縫い付ける。
【００４６】
このように，前布２０の上下端部分のみを逢着し，側辺２３ａ，２３ｂのその他の部分を未逢着の状態としたことで，前布の左右いずれ側においても未逢着部分２９が形成され，この未逢着部分２９を介して前布２０と前身頃１０間の間隔に通じる開口が左右いずれ側にも形成されている。
【００４７】
更に，この前身頃１０の左右両側に形成された側部逢着辺１４と，後身頃３０の左右両側に形成された側部逢着辺３４とを相互に逢着して，前記前身頃１０，後身頃３０，前布２０間の逢着が完了する。
【００４８】
その後，胴口と成る前記前身頃１０の胴口形成辺１１，後身頃３０の胴口形成辺３１及び前布２０の上端辺２１に対して一連のゴムバンド５０を逢着すると共に，必要に応じて前身頃１０の腿部辺１３と後身頃３０の腿部辺３３にも同様にゴムバンド５１を逢着して，ブリーフ１が完成する。
【００４９】
〔作用等〕
以上のように構成されたブリーフ１において，前述したようにこのブリーフ１の前身頃１０は，中央部に前述した切欠１５が形成されていると共に，この切欠１５によって分割された股布逢着辺１２（１２ａ，１２ｂ）の前記分割端部１２１，１２２間を突き合わせて，中心部分を前方に膨出させる立体形状に形成したことから，この部分に男性器を圧迫することなく収容する収容空間が形成されている。
【００５０】
また，この前身頃１０に形成された開口部１５’の前面を覆う前布２０は，前述したように２枚の布片２０ａ，２０ｂを立体的に縫製したものとなっていることから，内部に収容された男性器は，この前布２０によっても圧迫されることがない。
【００５１】
このように，前身頃１０及び前布２０を，共に中央部分を外方に向かって膨出する立体形状に形成したことから，着用者の身体的な特徴に従って下着の前面部分が外方に向かって膨出し，着用時の窮屈さを感じさせないだけでなく，ブリーフ内の空間に余裕を生じさせて睾丸の温度調整が可能となっている。
【００５２】
さらに，前記前布２０の側辺２３ａ，２３ｂのうち，前述のように上辺から下方に向かって所定の高さの範囲に形成した部分のみを前身頃１０に逢着し，その他の部分を未逢着の状態とすると共に，この未逢着部分２９において，正面視における前布２０の幅を狭めたことにより，未逢着部分２９における前布２０を右又は左に僅かにずらすのみで，前身頃１０に形成された開口１５’を露出させることができ，しかも，前述のように立体的に形成された前身頃１０は，中心部分を前方に膨出させた形状であり，開口縁部分において布地に余裕があるために，開口縁を右又は左に引き出して，前布２０の側部において開放することも容易である。
【００５３】
その結果，前布２０の側辺２３ａ，２３ｂにおける未逢着部分２９と，前身頃１０の開口縁間による陰茎の圧迫により排尿が阻害されることがなく，また排尿後に残尿感を感じたり，尿漏れが生じることがない。
【００５４】
このように，本考案の前面構造を備えたブリーフにあっては，男性器を圧迫感なく収容し得る立体形状を有するものでありながら，従来技術のブリーフでは達成し得なかった，小用時における前面の開放し易さを実現することができるものであった。
【産業上の利用可能性】
【００５５】
なお，以上で説明した実施形態にあっては，男性用下着の一例としてブリーフを例に挙げて説明したが，前述した構成は，小用時において開放しうる開口が前面に形成されている各種の下着に対して適用可能であり，前掲のブリーフの他，股引，防寒用のタイツ等，各種の下穿き用の下着の構造として採用可能である。
【００５６】
なお，股引，防寒用のタイツ等に対して本考案の前面構造を適用する場合には，前身頃１０，後身頃３０に腿部辺１３，３３を形成せずに，前身頃１０，後身頃３０と一体的に脚部を覆う布を設けても良い。
【図面の簡単な説明】
【００５７】
【図１】前身頃の正面図であり，（Ａ）は縫製前の平坦形状，（Ｂ）は縫製時における立体形状を示す。
【図２】前身頃の変更例を示す正面図。
【図３】前布の説明図であり，（Ａ）は前布を構成する２枚の布片の縫製前の状態，（Ｂ）は，前記２枚の布片を縫製して形成された前布の正面図，（Ｃ）は（Ｂ）の斜視図。
【図４】後身頃の正面図であり，（Ａ）は股布を一体に形成したもの，（Ｂ）は股布を別体として形成したものをそれぞれ示す。
【図５】本発明の前面構造を備えたブリーフの製造工程を示す説明図。
【図６】従来のブリーフの説明図であり，（Ａ）は正面図，（Ｂ）は（Ａ）のＢ−Ｂ線断面図。
【図７】従来のブリーフの説明図であり，（Ａ）は正面図，（Ｂ）は（Ａ）のＢ−Ｂ線断面図。
【図８】図７のブリーフの分解図。
【符号の説明】
【００５８】
１  男性下着（ブリーフ）
１０  前身頃
１１  胴口形成辺（前身頃１０の）
１２（１２ａ，１２ｂ）  股布逢着辺（前身頃１０の）
１３  腿部辺（前身頃１０の）
１４  側部逢着辺（前身頃１０の）
１５  切欠
１５’  開口
１８  内側開口
１８ａ  縁部（内側開口１８の）
１９  下端辺
２０  前布
２０ａ，２０ｂ  布片
２１（２１ａ，２１ｂ）  上端辺
２２（２２ａ，２２ｂ）  下端辺
２３ａ，２３ｂ  側辺（直線状）
２４（２４ａ，２４ｂ）  側辺（湾曲形状）
２８  外側開口
２８ａ  縁部（外側開口２８の）
２９  未逢着部分
３０  後身頃
３１  胴口形成辺（後身頃３０の）
３２  下部逢着辺（後身頃３０の）
３３  腿部辺（後身頃３０の）
３４  側部逢着辺（後身頃３０の）
４０  股布
４０’  当布
５０，５１  ゴムバンド
１２１，１２２  分割端部
Ｃ  中心線（前身頃１０の）
【図１】
0003137929.tif 000003
【図２】
0003137929.tif 000004
【図３】
0003137929.tif 000005
【図４】
0003137929.tif 000006
【図５】
0003137929.tif 000007
【図６】
0003137929.tif 000008
【図７】
0003137929.tif 000009
【図８】
0003137929.tif 000010